【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成装置であって、
回転体と、第１のボスと第２のボスを有し、前記回転体を支持する枠体と、を備えた、画像形成装置本体に着脱可能なカートリッジと、
前記第１のボスと前記第２のボスにそれぞれ係合可能な第１の挿入ガイド部と第２の挿入ガイド部を備え、第１の位置と、前記第１の位置とは位置が異なる第２の位置と、の間を移動可能な可動部材と、を有し、
前記カートリッジが前記画像形成装置本体に挿入された際に、前記第１のボスは、前記第１の挿入ガイド部と係合して前記可動部材を前記第１の位置から前記第２の位置に移動させ、前記可動部材を前記第２の位置に位置させることで前記第２のボスが前記第２の挿入ガイド部を通過可能とすることを特徴とする画像形成装置。
【請求項２】
前記カートリッジを前記画像形成装置本体から取り出す際に、前記第２のボスは、前記第２の挿入ガイド部と係合して前記可動部材を前記第１の位置から前記第２の位置に移動させ、前記可動部材を前記第２の位置に位置させることで前記第１のボスが前記第１の挿入ガイド部を通過可能とすることを特徴とする請求項１に記載の画像形成装置。
【請求項３】
第２のボスは、カートリッジ挿入方向に延びる平面が設けられていることを特徴とする請求項１または２に記載の画像形成装置。
【請求項４】
前記可動部材が前記第１の位置に位置するときには前記カートリッジが挿入された際に突き当たると突出位置に位置し、前記可動部材が前記第２の位置に位置するときには前記カートリッジが挿入可能となる退避位置に位置するストッパー部材をさらに有することを特徴とする請求項１ないし３のいずれか１項に記載の画像形成装置。
【請求項５】
前記ストッパー部材は、前記カートリッジを前記画像形成装置本体に着脱するカートリッジガイドにおいて、前記可動部材が前記第１の位置に位置するときには前記突出位置に位置し、前記可動部材が前記第２の位置に位置するときには前記退避位置に位置することを特徴とする請求項４に記載の画像形成装置。
【請求項６】
前記ストッパー部材は、前記可動部材と連結され、前記可動部材の前記第１の位置から前記第２の位置へ移動することで、前記突出位置から前記退避位置へ移動することを特徴とする請求項４または５に記載の画像形成装置。
【請求項７】
記録媒体に画像を形成する画像形成装置であって、
回転体と、前記回転体を支持する枠体と、第１のボスと第２のボスを備え、第１の位置と、前記第１の位置とは位置が異なる第２の位置と、の間を前記枠体に対して移動可能な可動部材を有する、画像形成装置本体に着脱可能なカートリッジと、
前記第１のボスと前記第２のボスにそれぞれ係合可能な第１の挿入ガイド部および第２の挿入ガイド部と、を有し、
前記カートリッジが前記画像形成装置本体に挿入された際に、前記第１のボスは、前記第１の挿入ガイド部と係合して前記可動部材を前記第１の位置から前記第２の位置に移動させ、前記可動部材を前記第２の位置に位置させることで前記第２のボスが前記第２の挿入ガイド部を通過可能とすることを特徴とする画像形成装置。
【請求項８】
前記カートリッジを前記画像形成装置本体から取り出す際に、前記第２のボスは、前記第２の挿入ガイド部と係合して前記可動部材を前記第１の位置から前記第２の位置に移動させ、前記可動部材を前記第２の位置に位置させることで前記第１のボスが前記第１の挿入ガイド部を通過可能とすることを特徴とする請求項７に記載の画像形成装置。
【請求項９】
第２のボスは、カートリッジ挿入方向に延びる平面が設けられていることを特徴とする請求項７または８に記載の画像形成装置。
【請求項１０】
記録媒体に画像を形成する画像形成装置であって、
回転体と、前記回転体を支持する、第１の挿入ガイド部と第２の挿入ガイド部を有する枠体と、を備えた、画像形成装置本体に着脱可能なカートリッジと、
前記第１の挿入ガイド部と前記第２の挿入ガイド部にそれぞれ係合可能な第１のボスおよび第２のボスと、を備え、第１の位置と、前記第１の位置とは位置が異なる第２の位置と、の間を移動可能な可動部材と、を有し、
前記第１の挿入ガイド部は前記カートリッジが前記画像形成装置本体に挿入された際に前記第１のボスと係合して前記可動部材を前記第１の位置から前記第２の位置に移動させ、前記可動部材を前記第２の位置に位置させることで前記第２のボスが前記第２の挿入ガイド部に通過可能とすることを特徴とする画像形成装置。
【請求項１１】
前記第２のボスは、カートリッジ挿入方向に延びる平面を有することを特徴とする請求項１０に記載の画像形成装置。
【請求項１２】
前記可動部材が前記第１の位置に位置するときには前記カートリッジが挿入された際に突き当たると突出位置に位置し、前記可動部材が前記第２の位置に位置するときには前記カートリッジが挿入可能となる退避位置に位置するストッパー部材をさらに有することを特徴とする請求項１０または１１に記載の画像形成装置。
【請求項１３】
前記ストッパー部材は、前記カートリッジを前記画像形成装置本体に着脱するカートリッジガイドにおいて、前記可動部材が前記第１の位置に位置するときには前記突出位置に位置し、前記可動部材が前記第２の位置に位置するときには前記退避位置に位置することを特徴とする請求項１２に記載の画像形成装置。
【請求項１４】
前記ストッパー部材は、前記可動部材と連結され、前記可動部材の前記第１の位置から前記第２の位置へ移動することで、前記突出位置から前記退避位置へ移動することを特徴とする請求項１２または１３に記載の画像形成装置。
【請求項１５】
記録媒体に画像を形成する画像形成装置であって、
回転体と、前記回転体を支持する枠体と、第１の挿入ガイド部と第２の挿入ガイド部を備え、第１の位置と、前記第１の位置とは位置が異なる第２の位置と、の間を前記枠体に対して移動可能な可動部材と、を有する、画像形成装置本体に着脱可能なカートリッジと、
前記第１の挿入ガイド部と第２の挿入ガイド部にそれぞれ係合可能な第１のボスおよび第２のボスと、を有し、
前記カートリッジが前記画像形成装置本体に挿入された際に、前記第１のボスは、前記第１の挿入ガイド部と係合して前記可動部材を前記第１の位置から前記第２の位置に移動させ、前記可動部材を前記第２の位置に位置させることで前記第２のボスが前記第２の挿入ガイド部を通過可能とすることを特徴とする画像形成装置。
【請求項１６】
前記第２のボスは、カートリッジ挿入方向に延びる平面を有することを特徴とする請求項１５に記載の画像形成装置。
【請求項１７】
第１の挿入ガイド部と第２の挿入ガイド部を備え、第１の位置と、前記第１の位置とは位置が異なる第２の位置と、の間を移動可能な可動部材を有する画像形成装置の画像形成装置本体に着脱可能なカートリッジであって、
回転体と、
前記回転体を支持する枠体と、
前記第１の挿入ガイド部と第２の挿入ガイド部にそれぞれ係合可能な第１のボスおよび第２のボスと、を有し、
前記カートリッジが前記画像形成装置本体に挿入された際に、前記第１のボスは、前記第１の挿入ガイド部と係合して前記可動部材を前記第１の位置から前記第２の位置に移動させ、前記可動部材を前記第２の位置に位置させることで前記第２のボスが前記前記第２の挿入ガイド部を通過可能とすることを特徴とするカートリッジ。
【請求項１８】
前記カートリッジを前記画像形成装置本体から取り出す際に、前記第２のボスは、前記第２の挿入ガイド部と係合して前記可動部材を前記第１の位置から前記第２の位置に移動させ、前記可動部材を前記第２の位置に位置させることで前記第１のボスが前記第１の挿入ガイド部を通過可能とすることを特徴とする請求項１７に記載のカートリッジ。
【請求項１９】
第２のボスは、カートリッジ挿入方向に延びる平面が設けられていることを特徴とする請求項１７または１８に記載のカートリッジ。
【請求項２０】
第１の挿入ガイド部および第２の挿入ガイド部と、を有する画像形成装置本体に着脱可能なカートリッジであって、
回転体と、
前記回転体を支持する枠体と、
前記第１の挿入ガイド部と前記第２の挿入ガイド部にそれぞれ係合可能な第１のボスと第２のボスを備え、第１の位置と、前記第１の位置とは位置が異なる第２の位置と、の間を前記枠体に対して移動可能な可動部材と、を有し、
前記カートリッジが前記画像形成装置本体に挿入された際に、前記第１のボスは、前記第１の挿入ガイド部と係合して前記可動部材を前記第１の位置から前記第２の位置に移動させ、前記可動部材を前記第２の位置に位置させることで前記第２のボスが前記第２の挿入ガイド部を通過可能とすることを特徴とするカートリッジ。
【請求項２１】
前記カートリッジを前記画像形成装置本体から取り出す際に、前記第２のボスは、前記第２の挿入ガイド部と係合して前記可動部材を前記第１の位置から前記第２の位置に移動させ、前記可動部材を前記第２の位置に位置させることで前記第１のボスが前記第１の挿入ガイド部を通過可能とすることを特徴とする請求項２０に記載のカートリッジ。
【請求項２２】
第２のボスは、カートリッジ挿入方向に延びる平面が設けられていることを特徴とする請求項２０または２１に記載のカートリッジ。
【請求項２３】
第１のボスと第２のボスを備え、第１の位置と、前記第１の位置とは位置が異なる第２の位置と、の間を移動可能な可動部材を有する画像形成装置本体に着脱可能なカートリッジであって、
回転体と、
前記回転体を支持する枠体と、
前記第１のボスと前記第２のボスにそれぞれ係合可能な第１の挿入ガイド部と第２の挿入ガイド部と、を有し、
前記カートリッジが前記画像形成装置本体に挿入された際に、前記第１の挿入ガイド部は、前記第１のボスと係合して前記可動部材を前記第１の位置から前記第２の位置に移動させ、前記可動部材を前記第２の位置に位置させることで前記第２のボスが前記第２の挿入ガイド部を通過可能とすることを特徴とするカートリッジ。
【請求項２４】
第１のボスと第２のボスと、を有する画像形成装置本体に着脱可能なカートリッジであって、
回転体と、
前記回転体を支持する枠体と、
前記第１のボスと前記第２のボスにそれぞれ係合可能な第１の挿入ガイド部と第２の挿入ガイド部を備え、第１の位置と、前記第１の位置とは位置が異なる第２の位置と、の間を前記枠体に対して移動可能な可動部材と、を有し、
前記カートリッジが前記画像形成装置本体に挿入された際に、前記第１の挿入ガイド部は、前記第１のボスと係合して前記可動部材を前記第１の位置から前記第２の位置に移動させ、前記可動部材を前記第２の位置に位置させることで前記第２のボスが前記第２の挿入ガイド部を通過可能とすることを特徴とするカートリッジ。
【請求項２５】
記録媒体に画像を形成する画像形成装置の画像形成装置本体に着脱可能なカートリッジの誤挿入防止システムであって、
回転体と、第１のボスと第２のボスを備え、前記回転体を支持する枠体と、を有する前記カートリッジと、
第１の位置と、前記第１の位置とは位置が異なる第２の位置と、の間を移動可能な可動部材と、を備え、
前記可動部材は、前記第１のボスと前記第２のボスにそれぞれ係合可能な第１の挿入ガイド部および第２の挿入ガイド部と、を有し、
前記カートリッジが前記画像形成装置本体に挿入された際に、前記第１の挿入ガイド部は、前記第１のボスと係合して前記可動部材を前記第１の位置から前記第２の位置に移動させ、前記可動部材を前記第２の位置に位置させることで前記第２のボスが前記第２の挿入ガイド部を通過可能とすることを特徴とする誤挿入防止システム。
【請求項２６】
前記可動部材が前記第１の位置に位置するときには前記カートリッジが挿入された際に突き当たると突出位置に位置し、前記可動部材が前記第２の位置に位置するときには前記カートリッジが挿入可能となる退避位置に位置するストッパー部材をさらに有することを特徴とする請求項２５に記載の誤装着防止システム。
【請求項２７】
前記ストッパー部材は、前記カートリッジを前記画像形成装置本体に着脱するカートリッジガイドにおいて、前記可動部材が前記第１の位置に位置するときには前記突出位置に位置し、前記可動部材が前記第２の位置に位置するときには前記退避位置に位置することを特徴とする請求項２６に記載の誤装着防止システム。
【請求項２８】
前記ストッパー部材は、前記可動部材と連結され、前記可動部材の前記第１の位置から前記第２の位置へ移動することで、前記突出位置から前記退避位置へ移動することを特徴とする請求項２６または２７に記載の誤装着防止システム。
【請求項２９】
記録媒体に画像を形成する画像形成装置の画像形成装置本体に着脱可能なカートリッジの誤挿入防止システムであって、
回転体と、前記回転体を支持する枠体と、第１のボスと第２のボスを備え、第１の位置と、前記第１の位置とは位置が異なる第２の位置と、の間を前記枠体に対して移動可能な可動部材と、を有する前記カートリッジと、
前記第１のボスと前記第２のボスにそれぞれ係合可能な第１の挿入ガイド部および第２の挿入ガイド部と、を有する前記画像形成装置本体と、を備え、
前記カートリッジが前記画像形成装置本体に挿入された際に、前記第１の挿入ガイド部は、前記第１のボスと係合して前記可動部材を前記第１の位置から前記第２の位置に移動させ、前記可動部材を前記第２の位置に位置させることで前記第２のボスが前記第２の挿入ガイド部を通過可能とすることを特徴とする誤挿入防止システム。
【請求項３０】
記録媒体に画像を形成する画像形成装置の画像形成装置本体に着脱可能なカートリッジの誤挿入防止システムであって、
回転体と、第１の挿入ガイド部と第２の挿入ガイド部を備え、前記回転体を支持する枠体と、を有する前記カートリッジと、
第１の位置と、前記第１の位置とは位置が異なる第２の位置と、の間を移動可能な、前記第１の挿入ガイド部と前記第２の挿入ガイド部にそれぞれ係合可能な第１のボスおよび第２のボスを備えた可動部材を有する前記画像形成装置本体と、を備え、
前記カートリッジが前記画像形成装置本体に挿入された際に、前記第１の挿入ガイド部は、前記第１のボスと係合して前記可動部材を前記第１の位置から前記第２の位置に移動させ、前記可動部材を前記第２の位置に位置させることで、前記第２のボスが前記第２の挿入ガイド部を通過可能とされていることを特徴とする誤挿入防止システム。
【請求項３１】
前記可動部材が前記第１の位置に位置するときには前記カートリッジが挿入された際に突き当たると突出位置に位置し、前記可動部材が前記第２の位置に位置するときには前記カートリッジが挿入可能となる退避位置に位置するストッパー部材をさらに有することを特徴とする請求項３０に記載の誤装着防止システム。
【請求項３２】
前記ストッパー部材は、前記カートリッジを前記画像形成装置本体に着脱するカートリッジガイドにおいて、前記可動部材が前記第１の位置に位置するときには前記突出位置に位置し、前記可動部材が前記第２の位置に位置するときには前記退避位置に位置することを特徴とする請求項３１に記載の誤装着防止システム。
【請求項３３】
前記ストッパー部材は、前記可動部材と連結され、前記可動部材の前記第１の位置から前記第２の位置へ移動することで、前記突出位置から前記退避位置へ移動することを特徴とする請求項３１または３２に記載の誤装着防止システム。
【請求項３４】
記録媒体に画像を形成する画像形成装置の画像形成装置本体に着脱可能なカートリッジの誤挿入防止システムであって、
回転体と、前記回転体を支持する枠体と、第１の挿入ガイド部と第２の挿入ガイド部を備え、第１の位置と、前記第１の位置とは位置が異なる第２の位置と、の間を前記枠体に対して移動可能な可動部材と、を有する前記カートリッジと、
前記第１の挿入ガイド部と第２の挿入ガイド部にそれぞれ係合可能な第１のボスおよび第２のボスと、を有する前記画像形成装置本体と、を備え、
前記カートリッジが前記画像形成装置本体に挿入された際に、前記第１の挿入ガイド部は、前記第１のボスと係合して前記可動部材を前記第１の位置から前記第２の位置に移動させ、前記可動部材を前記第２の位置に位置させることで前記第２のボスが前記第２の挿入ガイド部を通過可能とすることを特徴とする誤挿入防止システム。
【請求項３５】
自由状態時における第１の位置と前記第１の位置とは位置が異なる第２の位置との間を移動可能な可動台と、前記可動台に設けられた第１の挿入ガイド部と第２の挿入ガイド部と、を有し、記録媒体に画像を形成する画像形成装置の画像形成装置本体に着脱可能なカートリッジであって、
前記第１の挿入ガイド部と第２の挿入ガイド部にそれぞれ係合可能な第１のボスおよび第２のボスを有し、
前記カートリッジが前記画像形成装置本体に挿入された際に、前記第１のボスは、前記第１の挿入ガイド部に侵入し、係合して前記可動台を前記第１の位置から前記第２の位置に移動させ、前記可動台を前記第２の位置に位置させることで前記第２のボスが前記前記第２の挿入ガイド部を通過可能とし、
前記カートリッジを前記画像形成装置本体から取り出す際に、前記第２のボスは、前記第２の挿入ガイド部と係合して前記可動台を前記第１の位置から前記第２の位置に移動させ、前記可動台を前記第２の位置に位置させることで前記第１のボスが前記第１の挿入ガイド部を通過可能とすることを特徴とするカートリッジ。
【請求項３６】
第２のボスは、カートリッジ挿入方向に延びる平面が設けられていることを特徴とする請求項３５に記載のカートリッジ。
【手続補正２】
【補正対象書類名】明細書
【補正対象項目名】００１９
【補正方法】変更
【補正の内容】
【００１９】
上記目的を達成するために本発明にかかる画像形成装置の代表的な構成は、
記録媒体に画像を形成する画像形成装置であって、
回転体と、第１のボスと第２のボスを有し、前記回転体を支持する枠体と、を備えた、画像形成装置本体に着脱可能なカートリッジと、
前記第１のボスと前記第２のボスにそれぞれ係合可能な第１の挿入ガイド部と第２の挿入ガイド部を備え、第１の位置と、前記第１の位置とは位置が異なる第２の位置と、の間を移動可能な可動部材と、を有し、
前記カートリッジが前記画像形成装置本体に挿入された際に、前記第１のボスは、前記第１の挿入ガイド部と係合して前記可動部材を前記第１の位置から前記第２の位置に移動させ、前記可動部材を前記第２の位置に位置させることで前記第２のボスが前記第２の挿入ガイド部を通過可能とすることを特徴とする。
【手続補正３】
【補正対象書類名】明細書
【補正対象項目名】００９９
【補正方法】変更
【補正の内容】
【００９９】
さらに図１６Ａの（ａ）に示すように、装置１００Ａａにおいて、カートリッジ７０Ａａが挿入されていない状態では、ストッパー部材１１２は本体装着下ガイド部（カートリッジガイド）１０２において、カートリッジ７０Ａａと突き当たる位置（突出位置）に突出している。
【手続補正４】
【補正対象書類名】明細書
【補正対象項目名】０１００
【補正方法】変更
【補正の内容】
【０１００】
また、図１６Ａの（ｂ）に示すように、カートリッジ７０Ａａが挿入され、第１と２のボス８０・８１によって可動台１１０ａが矢印Ｇの上方に移動する。そうすると、可動台１１０ａとカム・リンクによって連結されているストッパー部材１１２は矢印Ｓ方向に退避位置に退避する。これにより、カートリッジ７０Ａａが挿入可能となる。
【手続補正５】
【補正対象書類名】明細書
【補正対象項目名】０１２４
【補正方法】変更
【補正の内容】
【０１２４】
また、カートリッジの誤挿入防止システム（誤装着防止システム）の構成に関しては次のとおりである。